(57)【要約】【課題】読み取った画像を処理する前にその画像を表示させるように構成された画像処理装置の利便性を向上する。【解決手段】画像処理装置において、制御部は、読取部により読取媒体の画像を読み取り、読取画像を含むプレビュー画面を表示部に表示する。制御部は、プレビュー画面を表示した後、処理続行指示が入力されることに応じて、読取画像のデータに基づく特定の処理を行う。制御部は、プレビュー画面を表示した後、処理続行指示が入力されることなく第１の規定時間が経過した場合、表示部に、プレビュー画面に代えて、特定の処理が実行されていないことを示す第１のメッセージ４６を含む待機画面４０を表示する。【選択図】図３
2020155822.tif 000002
【特許請求の範囲】
【請求項１】
読取部と、
表示部と、
入力部と、
制御部と、
を備えた画像処理装置であって、
前記制御部は、
前記読取部により読取媒体の画像を読み取る読取処理と、
前記読取処理により読み取られた画像である読取画像を含むプレビュー画面を前記表示部に表示するプレビュー画面表示処理と、
前記プレビュー画面表示処理により前記プレビュー画面が表示された後、前記入力部を介して処理続行指示が入力されることに応じて、前記読取画像のデータに基づく特定の処理を行う読取画像処理と、
前記プレビュー画面表示処理により前記プレビュー画面が表示された後、前記処理続行指示が入力されることなく第１の規定時間が経過した場合、前記表示部に、前記プレビュー画面に代えて、前記特定の処理が実行されていないことを示す第１のメッセージを含む待機画面を表示する待機画面表示処理と、
を実行する画像処理装置。
【請求項２】
請求項１に記載の画像処理装置であって、
前記画像処理装置は、さらに、記憶部を備え、
前記制御部は、さらに、前記読取処理により前記読取媒体の画像が読み取られることに応じて前記読取画像のデータを前記記憶部に記憶する記憶処理を実行し、
前記制御部は、前記プレビュー画面表示処理により前記プレビュー画面が表示された後、前記処理続行指示が入力されることなく前記第１の規定時間が経過した場合、前記記憶部に記憶されている前記読取画像のデータを維持したまま、前記待機画面表示処理を実行する、
画像処理装置。
【請求項３】
請求項２に記載の画像処理装置であって、
前記制御部は、さらに、前記待機画面表示処理により前記第１のメッセージを含む前記待機画面が表示された後、第２の規定時間が経過した場合、前記記憶部に記憶されている前記読取画像のデータを消去する消去処理を実行する、
画像処理装置。
【請求項４】
請求項３に記載の画像処理装置であって、
前記制御部は、さらに、前記待機画面表示処理により前記第１のメッセージを含む前記待機画面が表示された後、前記第２の規定時間が経過した場合、前記第１のメッセージに代えて又は前記第１のメッセージに加えて、前記読取画像のデータが消去されたことを示す第２のメッセージを前記待機画面に表示するメッセージ変更処理を実行する、
画像処理装置。
【請求項５】
請求項２〜請求項４のいずれか１項に記載の画像処理装置であって、
前記制御部は、さらに、
前記第１のメッセージを含む待機画面が表示されている場合に前記入力部を介して特定入力操作が行われることに応じて、前記表示部に、前記読取画像のデータに基づく前記特定の処理を実行するか否かを問う続行確認メッセージを表示する続行確認処理と、
前記続行確認処理により前記続行確認メッセージが表示された後、前記特定の処理の実行を要求する続行要求が入力されることに応じて、前記特定の処理を行う続行要求対応処理と、
を実行する画像処理装置。
【請求項６】
請求項２〜請求項５のいずれか１項に記載の画像処理装置であって、
前記制御部は、さらに、
前記第１のメッセージを含む待機画面が表示されている場合に前記特定の処理を含む機能の実行指示が入力されることに応じて、前記表示部に、前記読取画像のデータに基づく前記特定の処理を実行するか否かを問う続行確認メッセージを表示する続行確認処理と、
前記続行確認処理により前記続行確認メッセージが表示された後、前記特定の処理の実行を要求する続行要求が入力されることに応じて、前記特定の処理を行う続行要求対応処理と、
を実行する画像処理装置。
【請求項７】
請求項２〜請求項６のいずれか１項に記載の画像処理装置であって、
前記制御部は、さらに、前記待機画面表示処理により前記第１のメッセージを含む前記待機画面が表示された後、前記特定の処理を含まない機能の実行指示が入力された場合、前記記憶部に記憶されている前記読取画像のデータを消去して前記実行指示に応じた機能を実行する、別機能対応処理を実行する、
画像処理装置。
【請求項８】
請求項１〜請求項７のいずれか１項に記載の画像処理装置であって、
前記画像処理装置は、さらに、被記録媒体に画像を印刷する印刷部を備え、
前記特定の処理は、前記印刷部により前記読取画像を印刷する処理を含む、
画像処理装置。
【請求項９】
読取部により読取媒体の画像を読み取る読取ステップと、
前記読取ステップにより読み取られた画像である読取画像を含むプレビュー画面を表示するプレビュー画面表示ステップと、
前記プレビュー画面表示ステップにより前記プレビュー画面が表示された後、処理続行指示が入力されることに応じて、前記読取画像のデータに基づく特定の処理を行う読取画像処理ステップと、
前記プレビュー画面表示ステップにより前記プレビュー画面が表示された後、前記処理続行指示が入力されることなく第１の規定時間が経過した場合、前記プレビュー画面に代えて、前記特定の処理が実行されていないことを示す第１のメッセージを含む待機画面を表示する待機画面表示ステップと、
を有する画像処理方法。
【請求項１０】
読取部と、
表示部と、
制御部と、
を備えた画像処理装置における前記制御部が実行可能な画像処理プログラムであって、
前記制御部に、
前記読取部により読取媒体の画像を読み取る読取処理と、
前記読取処理により読み取られた画像である読取画像を含むプレビュー画面を前記表示部に表示するプレビュー画面表示処理と、
前記プレビュー画面表示処理により前記プレビュー画面が表示された後、処理続行指示が入力されることに応じて、前記読取画像のデータに基づく特定の処理を行う読取画像処理と、
前記プレビュー画面表示処理により前記プレビュー画面が表示された後、前記処理続行指示が入力されることなく第１の規定時間が経過した場合、前記表示部に、前記プレビュー画面に代えて、前記特定の処理が実行されていないことを示す第１のメッセージを含む待機画面を表示する待機画面表示処理と、
を実行させるための画像処理プログラム。
【発明の詳細な説明】
【技術分野】
【０００１】
本発明は、読み取った画像を処理する技術に関する。
【背景技術】
【０００２】
特許文献１には、読み取った画像を印刷する際、印刷する前にその画像を表示させ、その後印刷指示を受けた場合に印刷するように構成されたプリンタ装置が開示されている。
【先行技術文献】
【特許文献】
【０００３】
【特許文献１】特開２０００−０６６８６０号公報
【発明の概要】
【発明が解決しようとする課題】
【０００４】
この種のプリンタ装置において、読み取った画像が表示された後、ユーザによる操作が行われるまでその画像が表示され続けると、他のユーザによるプリンタ装置の使用が妨げられてしまう可能性がある。そこで、読み取った画像が表示された後、ユーザによる指示が行われることなく一定時間が経過した場合は、別の画面に切り替わって他のユーザが使用できるようになると便利である。
【０００５】
しかし、読み取った画像が表示された後、その画像が印刷されないまま別の画面に切り替わると、読み取った画像がまだ印刷されていないことをユーザが気づきにくくなる可能性がある。つまり、画像を読み取らせたユーザの利便性が低下する可能性がある。
【０００６】
本発明は上記課題に鑑みなされたものであり、読み取った画像を処理する前にその画像を表示させるように構成された画像処理装置の利便性を向上することを目的とする。
【課題を解決するための手段】
【０００７】
本発明の画像処理装置は、読取部と、表示部と、入力部と、制御部とを備える。制御部は、読取処理と、プレビュー画面表示処理と、読取画像処理と、待機画面表示処理とを実行する。
【０００８】
読取処理は、読取部により読取媒体の画像を読み取る処理である。プレビュー画面表示処理は、読取処理により読み取られた画像である読取画像を含むプレビュー画面を表示部に表示する処理である。読取画像処理は、プレビュー画面表示処理によりプレビュー画面が表示された後、入力部を介して処理続行指示が入力されることに応じて、読取画像のデータに基づく特定の処理を行う処理である。待機画面表示処理は、プレビュー画面表示処理によりプレビュー画面が表示された後、処理続行指示が入力されることなく第１の規定時間が経過した場合、表示部に、プレビュー画面に代えて、特定の処理が実行されていないことを示す第１のメッセージを含む待機画面を表示する処理である。
【０００９】
このような構成によれば、プレビュー画面が表示された後、処理続行指示が入力されることなく第１の規定時間が経過した場合は、待機画面に切り替わる。そのため、読取画像のデータに基づく特定の処理の完了を待つことなく他の処理を実行させることが可能となる。
【００１０】
しかも、プレビュー画面から待機画面に切り替わった場合、その待機画面には、特定の処理が実行されていないことを示す第１のメッセージが含まれる。そのため、ユーザは、画像の読み取りが行われたもののまだ特定の処理が完了していないことを認識することができる。そのため、ユーザは、第１のメッセージに応じて、読取画像のデータに基づく特定の処理を実行させることができる。よって、ユーザにとって利便性の高い画像処理装置を提供することが可能となる。
【図面の簡単な説明】
【００１１】
【図１】実施形態の画像処理システムの構成を示す説明図である。
【図２】プレビュー対応機能実行時の画面遷移の一部を示す説明図である。
【図３】プレビュー対応機能実行時の画面遷移の他の一部（図２の続き）を示す説明図である。
【図４】プレビュー対応機能実行時の画面遷移のさらに他の一部（図３の続き）を示す説明図である。
【図５】メイン処理のフローチャートの一部である。
【図６】メイン処理のフローチャートの他の一部（図５の続き）である。
【発明を実施するための形態】
【００１２】
以下、本発明の実施形態について、図面を参照しながら説明する。
［１．実施形態］
（１）画像処理システムの構成
図１に示す本実施形態の情報処理システム１は、画像処理装置１０と、情報処理装置２０とを備える。画像処理装置１０と情報処理装置２０とは、ネットワーク３を通じて相互にデータ通信可能である。ネットワーク３は、どのようなネットワークであってもよい。ネットワーク３は、例えば有線のネットワークであってもよいし、無線のネットワークであってもよい。また、有線及び無線のいずれにおいても、具体的な通信方式はどのような通信方式であってもよい。
【００１３】
（２）画像処理装置１０の構成
図１に示す本実施形態の画像処理装置１０は、例えばスキャン機能、印刷機能、コピー機能、ファクス機能などの、複数の機能を備えている。スキャン機能は、原稿の画像を読み取ってその読み取った画像の画像データを生成する機能である。印刷機能は、シート状の記録用紙へ画像を印刷する機能である。コピー機能は、スキャン機能により読み取った画像を印刷機能により印刷する機能である。ファクス機能は、ファクシミリデータの送受信を行う機能である。
【００１４】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９とを備え、これらがバス５を介して相互に接続されている。なお、メディアインタフェース部のことを、以下「メディアＩ／Ｆ」と略称する。
【００１５】
制御部１１は例えばＣＰＵを備える。記憶部１２は、例えばＲＯＭ、ＲＡＭ、ＮＶＲＡＭ、フラッシュメモリなどの半導体メモリを有する。即ち、本実施形態の画像処理装置１０は、ＣＰＵ及び半導体メモリを含む、マイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００１７】
記憶部１２には、図２〜図４に示す画面を含む各種画面のデータが記憶されている。また、記憶部１２には、図５〜図６に示すメイン処理のプログラムも記憶されている。
表示部１３は、各種情報を表示するための表示デバイスを有する。本実施形態の表示部１３は、表示デバイスとしてディスプレイ１３ａを有する。
【００１８】
入力部１４は、各種入力操作を受け付けるための入力用デバイスを有する。本実施形態の入力部１４は、入力用デバイスとしてタッチパネル１４ａを有する。タッチパネル１４ａは、表示部１３の表示デバイスにおける、画像が表示される画像表示領域に重畳配置される。
【００１９】
表示部１３の画像表示領域に重畳配置されたタッチパネル１４ａは、画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２０】
なお、タッチパネル１４ａは、指示操作として接触のみ検出可能な構成であってもよいし、近接のみ検出可能な構成であってもよいし、接触及び近接の両方を検出可能な構成であってもよい。
【００２１】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２２】
制御部１１が検出可能な特定の操作には、例えば、タップ、フリック、ドラッグなどが含まれる。タップは、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２３】
読取部１５は、イメージセンサを備え、画像が記録された原稿におけるその画像を読み取り、読み取った画像（以下、「スキャン画像」と称する）の画像データ（以下、「スキャンデータ」と称する）を生成する。イメージセンサは、例えば、ＣＣＤイメージセンサであってもよいし、ＣＭＯＳイメージセンサであってもよい。原稿は、例えば紙、布、レーベルのうちの少なくとも１つであってもよい。
【００２４】
なお、画像処理装置１０は、原稿を載置するための不図示の原稿台を備える。読取部１５は、原稿台に載置された原稿の画像を読み取るように構成されている。また、画像処理装置１０は、ＡＤＦを備えていてもよい。ＡＤＦとは、自動原稿送り装置を意味する、Ａｕｔｏｍａｔｉｃ  Ｄｏｃｕｍｅｎｔ  Ｆｅｅｄｅｒの略称である。また、読取部１５は、原稿台に載置された及びＡＤＦにセットされた原稿の少なくとも一方について、その原稿の両面の画像を読み取るいわゆる両面スキャンを実行可能に構成されていてもよい。
【００２５】
印刷部１６は、インクジェット技術又は電子写真技術の印刷機構を有し、記録用紙に画像を印刷することが可能である。
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２６】
第１通信部１８は、画像処理装置１０をネットワーク３に接続可能な通信インタフェースである。画像処理装置１０は、第１通信部１８を介して、情報処理装置２０を含む各種情報処理装置とデータ通信可能である。また、画像処理装置１０は、第１通信部１８を介してインターネットに接続し、インターネットを介して他の各種サーバや各種情報処理装置などとデータ通信可能である。
【００２７】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクスデータの送受信は、基本的には、第２通信部１９を介して行われる。
【００２８】
スキャン機能は、基本的には、制御部１１が読取部１５を制御することにより実行される。本実施形態のスキャン機能は、より詳しくは、スキャン画像の処理方法に応じた複数のサブ機能を含む。サブ機能には、例えば、スキャンｔｏＵＳＢメモリ、スキャンｔｏＰＣ、スキャンｔｏＥメール送信、などがある。スキャンｔｏＵＳＢメモリは、スキャンデータを、メディアＩ／Ｆ１７に接続されているＵＳＢメモリへ出力してＵＳＢメモリに保存させる機能である。スキャンｔｏＰＣは、スキャンデータを、画像処理装置１０に接続されている他の情報処理装置へ送信する機能である。スキャンｔｏＥメール送信は、スキャンデータを電子メールで送信する機能である。
【００２９】
コピー機能は、基本的には、制御部１１が読取部１５及び印刷部１６を制御することにより実行される。即ち、制御部１１は、読取部１５により原稿の画像を読み取らせること、即ちスキャン機能を実行することにより、スキャンデータを取得する。そして、そのスキャンデータに基づいて印刷部１６に印刷を実行させること、即ち印刷機能を実行することにより、スキャン画像が印刷された記録用紙である印刷物を出力する。
【００３０】
本実施形態の画像処理装置１０では、スキャン機能が含まれる各種機能のうちの一部又は全てにおいて、画像の読み取りが行われた後、スキャンデータに基づく特定の処理が実行される前に、図２に例示するプレビュー画面６５が表示部１３に表示される。プレビュー画面６５には、プレビュー画像６６及びスタートボタン６７が含まれる。プレビュー画像６６は、スキャン画像を示す。以下、スキャン画像のプレビュー画面が表示されるように構成された機能のことを「プレビュー対応機能」と称する。
【００３１】
スキャン機能自体は、プレビュー対応機能の１つである。即ち、例えばスキャンｔｏメモリにおいては、スキャンデータに基づく特定の処理が実行される前、即ちスキャンデータがＵＳＢメモリに保存される前に、スキャン画像を示すプレビュー画像６６含むプレビュー画面６５が表示される。
【００３２】
コピー機能も、プレビュー対応機能の１つである。即ち、コピー機能においては、原稿の画像が読み取られた後、スキャンデータに基づく特定の処理が実行される前、即ちスキャン画像が印刷される前に、スキャン画像を示すプレビュー画像６６を含むプレビュー画面６５が表示される。コピー機能実行時に表示されるプレビュー画像６６には、記録用紙の外縁を示す画像が含まれていてもよい。即ち、プレビュー画像６６は、記録用紙に実際にスキャン画像が印刷された状態を示す画像であってもよい。
【００３３】
ファクス機能の１つである、ファクスデータを送信するファクス送信機能も、プレビュー対応機能の１つである。即ち、ファクス送信機能においては、原稿の画像が読み取られた後、スキャンデータに基づく特定の処理が実行される前、即ちスキャン画像が第２通信部１９を介して送信される前に、スキャン画像を含むプレビュー画面が表示される。ファクス送信機能実行時に表示されるプレビュー画像６６においても、記録用紙の外縁を示す画像が含まれていてもよい。即ち、プレビュー画像６６は、ファクスデータの送信先でそのファクスデータが示す画像が実際に記録用紙に印刷された状態を示す画像であってもよい。
【００３４】
プレビュー対応機能においては、ユーザは、プレビュー画面６５を見ることによって、スキャンデータに基づく特定の処理が実行される前にスキャン画像を確認することができる。そして、スキャンデータの処理を指示することで、スキャンデータに基づく特定の処理を実行させることができる。スキャンデータの処理の指示は、例えば、プレビュー画面６５におけるスタートボタン６７を選択操作（例えばタップ）することによって行うことができる。
【００３５】
（３）情報処理装置２０の構成
情報処理装置２０は、例えばパーソナルコンピュータ、タブレット端末、スマートフォンなどの、各種の情報処理端末である。情報処理装置２０は、図１に示すように、制御部２１と、記憶部２２と、入力部２３と、表示部２４と、通信部２５とを備える。
【００３６】
制御部２１は、例えばＣＰＵを有する。記憶部２２は、例えばＲＯＭ、ＲＡＭ、ＮＶＲＡＭ、フラッシュメモリなどの半導体メモリを有する。即ち、本実施形態の情報処理装置２０は、ＣＰＵ及び半導体メモリを含むマイクロコンピュータを備えている。記憶部２２には、各種のソフトウェアやデータが記憶されている。
【００３７】
表示部２４は、例えば液晶ディスプレイや有機ＥＬディスプレイなど、画像を表示可能な表示デバイスを有する。
入力部２３は、各種入力操作を受け付けるための入力用デバイスを有する。入力部２３が有する入力用デバイスには、例えば、キーボード、マウス、タッチパネルなどが含まれる。タッチパネルは、表示部２４が有する表示デバイスにおける画像の表示領域に重畳配置される。
【００３８】
通信部２５は、ネットワーク３を通じて外部の装置と通信を行うための通信インタフェースである。情報処理装置２０は、通信部２５を介して画像処理装置１０とデータ通信を行うことができる。
【００３９】
（４）プレビュー対応機能実行時の画面遷移
プレビュー対応機能が実行される際の画面遷移について、コピー機能が実行される場合を例に挙げて説明する。画像処理装置１０の制御部１１は、起動すると、初期処理を実行し、表示部１３に、図２に例示する待機画面４０を表示させる。待機画面４０は、ユーザが画像処理装置１０において各種機能を実行させる際の起点となる画面である。
【００４０】
待機画面４０には、機能を実行させるための複数の機能ボタンが表示される。図３に示す待機画面４０には、複数の機能ボタンとして、ファクスボタン４１、コピーボタン４２及びスキャンボタン４３が例示されている。ファクスボタン４１が選択操作されると、制御部１１は、ファクス機能を実行する。コピーボタン４２が選択操作されると、制御部１１は、コピー機能を実行する。スキャンボタン４３が選択操作されると、制御部１１は、スキャン機能を実行する。
【００４１】
待機画面４０には、さらに、ショートカットボタン４４が表示される。ショートカットボタン４４が選択操作されると、不図示のショートカット画面が表示される。ショートカット画面には、１つ以上のショートカットアイコンが表示される。ショートカットアイコンの各々には、特定の機能が登録されている。いずれかのショートカットアイコンが選択操作されると、そのショートカットアイコンに登録されている特定の機能が実行される。
【００４２】
ユーザは、ショートカットアイコンに任意の機能を登録可能である。ユーザは、ショートカットアイコンに、プレビュー対応機能を登録することも可能である。プレビュー対応機能が登録されたショートカットアイコンが選択操作されると、前述の通り、スキャンデータが処理される前に、スキャン画像を示すプレビュー画像６６を含むプレビュー画面６５が表示される。
【００４３】
ここで、プレビュー対応機能の１つであるコピー機能を実行するようユーザに指示されたことを想定する。具体的には、例えばコピーボタン４２が選択操作されたことを想定する。
【００４４】
この場合、表示部１３に、図２に例示するコピー設定画面５０が表示される。コピー設定画面５０には、複数の設定値表示ボタンが含まれる。複数の設定値表示ボタンには、例えば、倍率設定表示ボタン５１、両面コピー設定表示ボタン５２、トレイ設定表示ボタン５３、及びコピー画質設定表示ボタン５４が含まれる。
【００４５】
倍率設定表示ボタン５１には、スキャン画像を記録用紙に印刷させる際の拡大／縮小率を示すコピー倍率の現在の設定値が表示される。両面コピー設定表示ボタン５２には、スキャン画像を記録用紙の片面及び両面のどちらに印刷するかを示す両面コピー設定の現在の設定値が表示される。トレイ設定表示ボタン５３には、スキャン画像を印刷させる記録用紙が載置されたトレイを示す使用トレイの現在の設定値が表示される。コピー画質設定表示ボタン５４には、スキャン画像を記録用紙に印刷させる際の画質を示すコピー画質の現在の設定値が表示される。ユーザは、各設定値表示ボタンを見ることで、コピー機能における各種設定項目の現在の設定値を確認することができる。なお、これら各ボタン５１〜５４以外の他の設定値表示ボタンが表示される又は表示可能であってもよい。
【００４６】
コピー設定画面５０には、さらに、設定変更ボタン５６と、モノクロスタートボタン５７と、カラースタートボタン５８とが表示される。
本実施形態では、コピー機能実行のために設定可能な各種設定項目として、前述のコピー倍率、両面コピー設定、使用トレイ及びコピー画質の他に、例えば、コピー部数、用紙タイプ、用紙サイズ、レイアウトコピーなどがある。コピー部数は、同じ１つのスキャン画像を印刷させる記録用紙の数（部数）を示す。用紙タイプは、スキャン画像を印刷させる記録用紙の種類を示す。用紙サイズは、スキャン画像を印刷させる記録用紙のサイズを示す。レイアウトコピーは、１つのスキャン画像をどのようなサイズで１つの記録用紙内に印刷させる又は複数の記録用紙に分割して印刷させるかを示す。そして、設定項目毎に、選択可能な複数の設定値が用意されている。ユーザは、設定項目毎に、対応する複数の設定値のうちのいずれか１つを設定することができる。
【００４７】
設定項目の設定値の変更は、例えば、コピー設定画面５０における設定変更ボタン５６を選択操作することによって可能である。設定変更ボタン５６が選択操作されると、表示部１３に不図示の設定項目画面が表示される。設定項目画面には、設定項目毎の複数の設定項目ボタンが表示される。いずれかの設定項目ボタンが選択操作されると、その設定項目ボタンに対応した設定項目の設定値を選択させるための不図示の設定値選択画面が表示される。設定値選択画面には、選択可能な設定値の各々に対応した複数のボタンが表示され、そのうち１つが選択操作されると、その選択操作されたボタンに対応した設定値が選択、設定される。
【００４８】
コピー設定画面５０において、モノクロスタートボタン５７又はカラースタートボタン５８が選択操作されると、コピー機能が開始される。なお、モノクロスタートボタン５７が選択操作された場合は、原稿の画像がモノクロで印刷され、カラースタートボタン５８が選択操作された場合は、原稿の画像がカラーで印刷される。
【００４９】
コピー機能が開始されると、まず、スキャン機能が実行されることにより、原稿の画像が読み取られ、スキャンデータが生成される。スキャン機能の実行中は、表示部１３に、図２に例示するスキャン中画面６０が表示される。スキャンデータが生成されると、表示部１３に、スキャン画像のプレビュー画像を含むプレビュー画面６５が表示される。
【００５０】
プレビュー画面６５において、スタートボタン６７が選択操作されると、前述の通り、スキャンデータに基づく特定の処理が実行される。図２の例における特定の処理は、スキャンデータに基づく画像を印刷することである。
【００５１】
一方、プレビュー画面６５が表示された後、無操作タイムアウトが発生した場合は、スキャンデータが保存されつつ、表示部１３に表示される画面が、プレビュー画面６５から、図３に例示する待機画面４０に切り替わる。無操作タイムアウトとは、プレビュー画面６５が表示された後、スタートボタン６７が選択操作されることなく第１の規定時間が経過することを含む。
【００５２】
プレビュー画面６５の表示後に無操作タイムアウトが発生することに応じて遷移する待機画面４０には、図３に例示するように、第１情報バー４６が表示される。第１情報バー４６には、スキャンデータに基づく特定の処理が実行されていないことを示す第１のメッセージが表示される。
【００５３】
本実施形態における第１のメッセージは、例えば、「プレビューした内容が印刷されていません。情報バーをタップすると印刷できます。」というメッセージを含む。第１のメッセージはどのような内容であってもよい。また、第１情報バー４６に第１のメッセージの全体を同時に表示できない場合は、例えばユーザによるフリック操作によって第１メッセージをスクロール表示させてもよいし、第１のメッセージを自動的に特定の方向へ流れるように表示させてもよい。また例えば、第１情報バー４６が選択操作されると第１メッセージの全体がポップアップ表示されてもよい。
【００５４】
第１情報バー４６を含む待機画面４０が表示されている状態からの画面遷移は、主に、第１イベント及び第２イベントのどちらが発生するかによって異なる。第１イベントには、例えば、第１情報バー４６が選択操作されること、及び、スキャン済み中断中の機能と同種の機能の実行が新たに指示されること、を含む。
【００５５】
スキャン済み中断中の機能とは、現在表示されている第１情報バー４６が表示される直前に原稿の読み取りまで完了しているもののそのスキャンデータに基づく特定の処理が実行されていない状態になっている機能を意味する。よって、図３の例では、スキャン済み中断中の機能と同種の機能とは、コピー機能である。そのため、図３に示す待機画面４０において、例えばコピーボタン４２が選択操作されることは、第１イベントに含まれる。
【００５６】
第２イベントは、例えば、無操作タイムアウトによってプレビュー画面６５から待機画面４０に遷移した後、その待機画面４０に対する選択操作が何ら行われないまま第２の規定時間が経過すること、を含む。
【００５７】
第１情報バー４６を含む待機画面４０において、第１情報バー４６が選択操作された場合は、表示部１３に、図３に例示する第１通知画面７０が表示される。第１通知画面７０には、続行確認メッセージ７１と、はいボタン７２と、いいえボタン７３とが表示される。続行確認メッセージ７１は、すでに生成されて保存されているスキャンデータに基づく特定の処理を実行するか否かを問うメッセージである。ユーザは、続行確認メッセージ７１を見ることで、スキャン済み中断中の機能があることを認識することができる。
【００５８】
第１通知画面７０において、いいえボタン７３が選択操作されると、第１情報バー４６を含む待機画面４０に遷移する。第１通知画面７０において、はいボタン７２が選択操作されると、スキャン済み中断中の機能が実行される。図３の例では、保存されているスキャンデータが示すスキャン画像が印刷機能により印刷される。機能実行後は、図２に示す待機画面４０に遷移してもよいし、実行した機能に対応する特定の画面に遷移してもよい。図３の例では、機能実行後は例えば図２に示すコピー設定画面５０に遷移してもよい。
【００５９】
第１情報バー４６を含む待機画面４０において、スキャン済み中断中の機能と同種の機能の実行が新たに指示された場合も、第１情報バー４６が選択操作された場合と同様に、表示部１３に第１通知画面７０が表示される。この場合において、はいボタン７２が選択操作された場合の処理についても、第１情報バー４６の選択操作によって遷移した第１通知画面７０における、はいボタン７２が選択操作された場合と同様であり、スキャン済み中断中の機能が実行される。
【００６０】
一方、スキャン済み中断中の機能と同種の機能の実行が新たに指示されたことによって遷移した第１通知画面７０において、いいえボタン７３が選択操作された場合は、スキャンデータを保持しつつ、コピー設定画面５０（図２参照）に遷移する。この場合、ユーザは、新たにコピー機能を実行させることができる。そして、その新たなコピー機能の完了後は、例えば、第１情報バー４６を含む待機画面４０が再び表示されてもよい。
【００６１】
第１情報バー４６を含む待機画面４０が表示されている状態で、例えば第２イベントが発生した場合は、保存されているスキャンデータが消去される。そして、図４に例示する、第２情報バー４７を含む待機画面４０に遷移する。第２情報バー４７には、スキャンデータに基づく特定の処理が実行されていないこと、及び、スキャン済み中断中の機能を続行したい場合は再び原稿の読み取りから行う必要があること（換言すれば保存されていたスキャンデータが消去されたこと）を示す第２のメッセージが表示される。
【００６２】
本実施形態における第２のメッセージは、例えば、「プレビュー内容が印刷されていません。印刷する場合はもう一度原稿を読み取ってください。」というメッセージを含む。第２のメッセージはどのような内容であってもよい。また、第２情報バー４７に第２のメッセージの全体を同時に表示できない場合は、第１情報バー４６における第１のメッセージと同様に種々の方法で表示させてもよい。
【００６３】
第２情報バー４７を含む待機画面４０において、第２情報バー４７が選択操作された場合は、表示部１３に、図４に例示する第２通知画面８０が表示される。第２通知画面８０には、中断中機能キャンセルメッセージ８１と、閉じるボタン８２とが表示される。中断中機能キャンセルメッセージ８１は、スキャン後に中断されていた機能のスキャンデータに基づく特定の処理が実行されていないこと、及びそのスキャンデータが消去されたことにより機能を続行させたい場合はもう一度原稿の読み取りから始める必要があること、をユーザに知らせるメッセージである。ユーザは、中断中機能キャンセルメッセージ８１を見ることで、先に読み取らせた原稿のコピーを完了させたい場合はもう一度スキャンから行う必要があることを認識することができる。
【００６４】
第２通知画面８０において、閉じるボタン８２が選択操作されると、図２に示す待機画面４０、即ち第１情報バー４６及び第２情報バー４７のいずれも表示されていない通常の待機画面４０に遷移する。
【００６５】
（５）メイン処理
上述した画面遷移を実現するために制御部１１が実行するメイン処理について、図５〜図６を用いて説明する。制御部１１は、電源電力が供給されることにより起動すると、記憶部１２からメイン処理のプログラムを読み込んで実行する。
【００６６】
制御部１１は、メイン処理を開始すると、Ｓ１１０で、表示部１３に待機画面４０を表示させる。Ｓ１２０では、プレビュー対応機能を実行することが選択されたか否か判断する。プレビュー対応機能を実行することが選択されていない場合は、Ｓ１３０で、他イベント対応処理を実行する。具体的に、プレビュー対応機能が選択されること以外の他のイベントが発生することに応じてそのイベントに対応した処理を実行する。Ｓ１３０の処理後はＳ１１０に移行する。Ｓ１３０で、イベントが発生していない場合も、Ｓ１１０に移行する。
【００６７】
Ｓ１２０で、プレビュー対応機能を実行することが選択された場合は、Ｓ１４０で、機能設定受付処理を実行する。具体的には、選択されたプレビュー対応機能に対応した機能設定画面を表示部１３に表示し、その機能を実行する際に用いられる各種設定値の設定を受け付ける。Ｓ１２０で選択されたプレビュー対応機能が例えばコピー機能である場合は、Ｓ１４０では、図２に示したコピー設定画面５０を表示し、コピー機能で用いられる各種設定値の設定を受け付ける。
【００６８】
Ｓ１４０では、プレビュー画面６５を表示させる機能（以下、プレビュー表示機能と称する）自体をオン又はオフに設定できる。プレビュー表示機能がオンに設定されることで、プレビュー対応機能の実行時にプレビュー画面６５が表示される。プレビュー表示機能がオフに設定されると、プレビュー対応機能が実行された場合、プレビュー画面６５が表示されることなく機能が実行される。本実施形態では、例えば、プレビュー表示機能がデフォルトでオンに設定されている。そのため、ユーザが意図的にプレビュー表示機能をオフに変更しない限り、プレビュー対応機能の実行時にはプレビュー画面６５が表示される。
【００６９】
なお、プレビュー機能のデフォルト設定がオフであってもよい。また、プレビュー機能のデフォルト設定値をユーザが任意に決めることができてもよい。また、プレビュー機能の設定がデフォルトから変更された場合、その変更された設定状態をそのまま維持してもよいし、機能実行後にデフォルト設定に戻してもよい。また、プレビュー機能をオン又はオフに設定可能であることは必須ではなく、プレビュー対応機能の実行時にはプレビュー画面６５が表示されるように構成されていてもよい。
【００７０】
Ｓ１５０では、ユーザにより機能開始の指示が行われたか否か判断する。図２に示した例では、コピー設定画面５０においてモノクロスタートボタン５７又はカラースタートボタン５８が選択操作されることが、機能開始の指示に対応する。機能開始の指示が行われていない場合は、Ｓ１４０に移行する。機能開始の指示が行われた場合は、Ｓ１６０に移行する。
【００７１】
Ｓ１６０では、スキャン機能を実行することにより、原稿の画像を読み取り、スキャンデータを生成する。そして、生成したスキャンデータを記憶部１２に保存する。
Ｓ１７０では、プレビュー表示機能がオンに設定されているか否か判断する。プレビュー表示機能がオフに設定されている場合は、Ｓ２１０に移行し、スキャン後機能を実行する。即ち、実行中のプレビュー対応機能における、スキャンデータ生成後に実行すべき残りの機能を実行することにより、プレビュー対応機能を完了させる。そして、Ｓ２２０で、保存していたスキャンデータを消去して、Ｓ１４０に移行する。
【００７２】
Ｓ１７０で、プレビュー表示機能がオンに設定されている場合は、Ｓ１８０で、表示部１３にプレビュー画面６５を表示する。Ｓ１９０では、前述の無操作タイムアウトが発生したか否か判断する。無操作タイムアウトが発生していない場合は、Ｓ２００で、プレビュー画面６５におけるスタートボタン６７が選択操作されたか否か判断する。スタートボタン６７が選択操作された場合は、Ｓ２１０に移行し、スキャン後機能を実行する。スタートボタン６７が選択操作されていない場合は、Ｓ１９０に移行する。
【００７３】
Ｓ１９０で、無操作タイムアウトが発生した場合は、スキャンデータが保存された状態を維持したまま、Ｓ２３０に移行する。Ｓ２３０では、表示部１３に、第１情報バー４６を含む待機画面４０（図３参照）を表示する。Ｓ２４０では、イベントが発生したか否か判断する。イベントが発生していない場合はＳ２３０に移行する。何らかのベントが発生した場合は、Ｓ２５０（図６参照）に移行する。
【００７４】
Ｓ２５０では、発生したイベントの内容を判断する。発生したイベントが第１イベント及び第２イベントのいずれでもない場合は、Ｓ３６０で、Ｓ１６０で保存したスキャンデータを消去し、Ｓ１３０に移行する。この場合、Ｓ１３０で、発生したイベントに応じた処理を行って、Ｓ１１０に移行する。
【００７５】
Ｓ２５０で、発生したイベントが第１イベントであった場合は、Ｓ３１０に移行する。Ｓ３１０では、表示部１３に、第１通知画面７０（図３参照）を表示する。Ｓ３２０では、ユーザによる操作に基づいて、スキャン後機能の実行の要否を判断する。図３に示す第１通知画面７０においては、はいボタン７２が選択操作されることが、スキャン後機能の実行が要求されることに対応し、いいえボタン７３が選択操作されることが、スキャン後機能の実行が不要であるとの指示がなされることに対応する。
【００７６】
スキャン後機能の実行を要求する操作が行われた場合は、Ｓ３３０で、Ｓ２１０と同様にスキャン後機能を実行する。そして、Ｓ３４０で、Ｓ２２０と同様、そのスキャン後機能で用いたスキャンデータを記憶部１２から消去して、Ｓ１４０（図５参照）に移行する。
【００７７】
Ｓ３２０で、スキャン後機能の実行が不要であるとの指示がなされた場合は、Ｓ３５０に移行する。Ｓ３５０では、発生した第１イベントが、第１情報バー４６が選択操作されたことであるか否か判断する。第１情報バー４６が選択操作されたことであった場合は、Ｓ２３０（図５参照）に移行し、第１情報バー４６を含む待機画面４０を表示する。発生した第１イベントが、第１情報バー４６が選択操作されたこととは異なるイベントであった場合は、Ｓ１４０に移行する。この場合、Ｓ１４０では、図３で説明したように、発生したイベントに対応した機能の機能設定画面を表示する。
【００７８】
Ｓ２５０で、発生したイベントが第２イベントであった場合は、Ｓ２６０に移行する。Ｓ２６０では、Ｓ１６０で保存したスキャンデータを消去する。Ｓ２７０では、待機画面４０に表示されている情報バーを、第１情報バー４６から第２情報バー４７（図４参照）に切り替える。
【００７９】
Ｓ２８０では、何らかのイベントが発生したか否か判断し、イベントが発生した場合、Ｓ２９０に移行する。Ｓ２９０では、発生したイベントが、第２情報バー４７の選択操作であるか否か判断する。第２情報バー４７の選択操作ではない場合は、Ｓ１３０に移行する。第２情報バー４７の選択操作であった場合は、Ｓ３００に移行する。
【００８０】
Ｓ３００では、表示部１３に第２通知画面８０（図４参照）を表示する。そして、第２通知画面８０における閉じるボタン８２が選択操作されることに応じて、Ｓ１１０に移行する。
【００８１】
（６）実施形態の効果
以上説明したように、本実施形態の画像処理装置１０では、プレビュー対応機能の実行時において、プレビュー画面６５が表示された後、無操作タイムアウトが発生した場合は、待機画面４０に切り替わる。そのため、スキャン後機能の完了を待つことなく、他の機能を実行させることができる。
【００８２】
しかも、無操作タイムアウトによってプレビュー画面６５から遷移した待機画面４０には、第１情報バー４６が表示される。そのため、ユーザは、原稿の画像が読み取られたもののその後の処理がまだ行われていないことを認識することができる。これにより、ユーザは、第１情報バー４６に応じて、保存されているスキャンデータに基づくスキャン後処理を実行させることができる。よって、ユーザにとって利便性の高い画像処理装置１０を提供することが可能となる。
【００８３】
また、第１情報バー４６を含む待機画面４０が表示されている場合に、第１情報バー４６を選択操作することで、スキャン済み中断中の機能を再開させることができる。また、第１情報バー４６を含む待機画面４０が表示されている場合に、スキャン済み中断中の機能と同種の機能の実行を指示することで、スキャンデータが保存されている状態を維持しつつ、その指示した機能を実行させることができる。
【００８４】
また、無操作タイムアウトの発生によって第１情報バー４６を含む待機画面４０が表示された後、第２イベントが発生した場合、即ちその待機画面４０に対する選択操作が何ら行われないまま第２の規定時間が経過した場合は、スキャンデータが消去される。ユーザによっては、プレビュー対応機能の実行を指示したものの、プレビュー画面６５が表示された後の操作を失念してしまうことが起こり得る。その場合、保存したスキャンデータはその後使用されることがなく無駄なデータになってしまう可能性がある。これに対し、本実施形態では、上記のように、第１情報バー４６を含む待機画面４０が表示された後にさらに第２イベントが発生した場合はスキャンデータが消去される。そのため、記憶部１２におけるスキャンデータの記憶領域の適正な利用が可能となる。
【００８５】
また、第２イベントが発生した場合、スキャンデータが消去されることに加え、待機画面４０には、第１情報バー４６に代わって第２情報バー４７が表示される。そのため、ユーザは、第２情報バー４７を見ることによって、スキャンデータが消去されたことを認識することができる。
【００８６】
なお、本実施形態において、第１情報バー４６が表示された待機画面４０における、第１情報バー４６を選択操作することは、特定入力操作の一例に相当する。第１通知画面７０における、はいボタン７２を選択操作することは、続行要求の一例に相当する。記録用紙は被記録媒体の一例に相当する。
【００８７】
また、Ｓ１６０の処理は読取処理及び記憶処理の一例に相当する。Ｓ１８０の処理はプレビュー画面表示処理の一例に相当する。Ｓ２００〜Ｓ２１０の処理は読取画像処理の一例に相当する。Ｓ２３０の処理は待機画面表示処理の一例に相当する。Ｓ２６０の処理は消去処理の一例に相当する。Ｓ２７０の処理はメッセージ変更処理の一例に相当する。Ｓ３１０の処理は続行確認処理の一例に相当する。Ｓ３３０の処理は続行要求対応処理の一例に相当する。Ｓ３６０及びこれに続くＳ１３０の処理は別機能対応処理の一例に相当する。
【００８８】
［２．他の実施形態］
以上、本発明の実施形態について説明したが、本発明は上述の実施形態に限定されることなく、種々変形して実施することができる。
【００８９】
（１）第１情報バー４６を含む待機画面４０が表示されている状態でスキャン済み中断中の機能と同種の機能の実行が選択されることに応じて表示される第１通知画面７０において、いいえボタン７３が選択操作された場合、次のような処理が行われてもよい。
【００９０】
例えば、保存されているスキャンデータを消去して、その選択された同種の機能を実行するようにしてもよい。
また例えば、選択された同種の機能が実行されることによって生成された新たなスキャンデータのデータ量に応じて、保存されているスキャンデータをそのまま維持するか消去するかを決定してもよい。例えば、記憶部１２におけるスキャンデータを保存可能な記憶領域の空き容量が、新たに生成されたスキャンデータのデータ量よりも少ない場合は、保存されているスキャンデータを消去してもよい。
【００９１】
（２）図２〜図４に示した各画面の内容はあくまでも一例であり、各画面はどのような内容であってもよい。
（３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【００９２】
１…情報処理システム、１０…画像処理装置、１１，２１…制御部、１２，２２…記憶部、１３，２４…表示部、１４，２３…入力部、１５…読取部、１６…印刷部、１７…メディアＩ／Ｆ、１８…第１通信部、１９…第２通信部、２０…情報処理装置、２５…通信部、４０…待機画面、４１…ファクスボタン、４２…コピーボタン、４３…スキャンボタン、４６…第１情報バー、４７…第２情報バー、５０…コピー設定画面、５７…モノクロスタートボタン、５８…カラースタートボタン、６５…プレビュー画面、６６…プレビュー画像、６７…スタートボタン、７０…第１通知画面、７１…続行確認メッセージ、８０…第２通知画面、８１…中断中機能キャンセルメッセージ。
【図１】
2020155822.tif 000003
【図２】
2020155822.tif 000004
【図３】
2020155822.tif 000005
【図４】
2020155822.tif 000006
【図５】
2020155822.tif 000007
【図６】
2020155822.tif 000008